(57)【要約】      （修正有） 【課題】芯を抜いたトイレットペーパーを収納したホルダーによって、簡単に取り出せ、持ち運びが可能となり、紐の長さを変えることで、襷掛け、肩掛け、手持ち等が可能となるトイレットペーパーホルダーを提供する。【解決手段】トイレットペーパーの収納部と、トイレットペーパーを収納する為の収納口４と、トイレットペーパーを取り出す為の取り出し口７とを有するトイレットペーパーホルダー１であって、収納口は、開閉手段を有し、トイレットペーパーホルダーの両端に紐通し９を設け、紐通しに、紐の片端にカラビナ１１が取り付けられた紐１０を通しておく。【選択図】図１
0003196487.tif 000002
【実用新案登録請求の範囲】
【請求項１】
トイレットペーパー収納部と、トイレットペーパーを収納する為の収納口と、トイレットペーパーを取り出す為の取り出し口とを有するトイレットペーパーホルダーであって、
前記収納口は、開閉手段を有し、
前記トイレットペーパーホルダーの両端に紐通しを設け、
前記紐通しに、紐の片端にカラビナが取り付けられた紐を通したことを特徴とするトイレットペーパーホルダー。
【考案の詳細な説明】
【技術分野】
【０００１】
本考案は、ロールタイプのトイレットペーパーホルダーに関するものである。
【背景技術】
【０００２】
従来、ロールタイプのトイレットペーパーは、トイレのトイレットペーパーホルダーに装着され、使用によりトイレットペーパーが無くなれば、ストックのトイレットペーパーを新たに装着し直して使用していた。
【０００３】
また、トイレットペーパーの巻き取り方も外側から順に適宜長さの紙を手に取って、所定の大きさに畳んで使用しようされていた。
【特許文献１】特開2011-120849
【考案の開示】
【考案が解決しようとする課題】
【０００４】
このトイレットペーパー自体は、その使い道としてトイレで用を足すときに限られず、キャンプ等の野外やキッチン、室内や車内等でもキッチンペーパーの代わりやティッシュペーパーの代わりとして使用する機会がある。
【０００５】
しかし、そのままでは、見栄えが悪く、使用がはばかられていた。
【０００６】
また、従来のホルダーに設置することなくトイレットペーパーを手に持って外側から巻き取ろうとすると、所望の長さの紙を巻き取るのに時間がかかった。
【０００７】
そのため、キッチンペーパーやティッシュペーパー等の代わりとして使用するために気軽に持ち歩け、部屋の壁やドアノブ等に掛けることもでき、簡単に紙を取り出せるアイテムが求められていた。
【０００８】
そこで、このような問題を解消すべく、トイレットペーパーの芯を抜き取ることで、紙を外側からではなく、内側から順に取り出せることに注目し、トイレットペーパーの使用用途を限定せずに、取り出しが簡単で、持ち運びでき、吊り下げることも可能なトイレットペーパーホルダーを提供する。
【課題を解決するための手段】
【０００９】
トイレットペーパー収納部と、トイレットペーパーを収納する為の収納口と、トイレットペーパーを取り出す為の取り出し口とを有するトイレットペーパーホルダーであって、前記収納口は、開閉手段を有し、前記トイレットペーパーホルダーの両端に紐通しを設け、前記紐通しに、紐の片端にカラビナが取り付けられた紐を通しておく。
【考案の効果】
【００１０】
本考案によれば、芯を抜いたトイレットペーパーを収納したホルダーによって、簡単に取り出し口から取り出せ、持ち運びが可能となり、紐の長さを変えることで、襷掛け、肩掛け、手持ちが可能となる。
【００１１】
また、吊り下げ使用が可能となる。
【００１２】
そして、カラビナを開閉手段に引っ掛けることでロック機能により、不用意に収納口が開かなくなる。
【考案を実施するための最良の形態】
【００１３】
以下、図１乃至図２を参照して本考案に係るトイレットペーパーホルダー１を説明する。
まず、図１中央のように、略長方形の布製素材を用いて両端同士を縫い合わせ、対面が略円形の開口部２となった中空の略円筒形状３を成型するとともに、一方の開口部をトイレットペーパーの収納口４として利用する。
【００１４】
このとき、中空の略円筒形状３は、ロールタイプのトイレットペーパー５が一つ以上収容できる程度の大きさとする。
【００１５】
また、布製素材は、表面層のポリエステルとポリウレタンからなる合成繊維と、裏面層のポリエステルからなる合成繊維と、これら両層間の中間層としてのスチレン−ブタジエンゴムと、から形成された３層構造の布体が望ましいが、これに限られず、他の繊維材料の布体や、タオル地、綿素材等でも形成することができ、１層又は２層以上の素材を重ね合わせたものでも構わない。
【００１６】
そして、略円筒形状の開口部２を覆う略円形状の布製素材の布体６を二枚用意し、どちらか一方に、取り出し口７を設けておく。
【００１７】
この取り出し口７は、ロールタイプのトイレットペーパー５を収納した状態から、ロールタイプのトイレットペーパー５の芯を取り外した内側の紙を取り出す為のものであって、取り出し口７の大きさは、円形で、ロールタイプのトイレットペーパーの芯の径程度であれば良い。
【００１８】
次に、ロールタイプのトイレットペーパー５を収納する為の収納口４と収納口に対応する布体６には、開閉手段として、略円形状の外周に沿ってファスナー８を設けておく。
【００１９】
このとき、図１左側の実施例では、取り出し口７と収納口４とが、対面に備わっているが、取り出し口７と収納口４の両口が片面に備わっても構わない。
【００２０】
また、円筒形状の長手方向の両端に紐通し９を設け、前記紐通しに、紐１０の片方にカラビナ１１が取り付けられた紐１０を通しておくと、図２のように、襷掛けとして使用できる。
【００２１】
また、紐通し間の紐を引っ張ると、襷掛けの紐の長さが約２分の１となるため、図２のように肩掛けで使用することができる。
【００２２】
更に、カラビナを一方の紐通しに取付け、二重にした紐の一端を前記カラビナに取り付け、もう一端を紐通しに通してカラビナに取り付けると更に、襷掛けの紐の長さが４分の１程度の長さになるので、図２のように手に持って歩ける長さとなる。
【００２３】
そして、これらの長さに調整したまま、フック等に吊るしても良いし、図２のようにロープや棒状のものに括りつけて使用することができる。
【００２４】
また、カラビナ１１をファスナー８の持ち手部分１２に引っ掛けると、誤ってファスナーが開いてトイレットペーパー５が落ちてしまう心配が無くなる。
【００２５】
更に、スライド調整可能な紐の結び方にすることでも、任意の長さにして使用することができる。
【００２６】
また、図示しないが、布体６は１枚にし、一方の開口部２の周りに紐を通し、その紐を縛ることで開閉可能な手段を取ることもできる。
【００２７】
このように、好ましい実施例を挙げて本考案を説明したが、本考案はその実施例に限定されるものではなく、本考案の要旨の範囲内で種々に組み合わせや改変できる。
【図面の簡単な説明】
【００２８】
【図１】本考案に係るトイレットペーパーホルダーの完成体と完成前の略円筒形状およびトイレットペーパーの芯を抜いた図である。
【図２】本考案に係るトイレットペーパーホルダーの使用状態の図である。
【符号の説明】
【００２９】
１  トイレットペーパーホルダー
２  開口部
３  略円筒形状
４  収納口
５  ロールタイプのトイレットペーパー
６  布体
７  取り出し口
８  ファスナー
９  紐通し
１０  紐
１１  カラビナ
１２  持ち手部分
【図１】
0003196487.tif 000003
【図２】
0003196487.tif 000004